(57)【特許請求の範囲】
【請求項１】
キャビネットの上部に配設されている電波透過性のシンクの下方に、前記キャビネットの前後方向に動く引き出しが配設されている流し台の前記シンク付近に配設される自動水栓であって、
先端に吐水口を備え、前記シンク内に吐水する吐水部と、
前記吐水口と前記シンクとの間の領域の物体を検知可能な電波センサーと、
前記吐水口に至る管路に設けられた弁装置と、
前記引き出しの動きを検知する移動検知センサーと、
前記吐水口からの吐水と止水とを制御する制御手段と
を備え、
前記制御手段は、前記電波センサーが物体を検知している場合に前記弁装置を開にして吐水させ、前記電波センサーが物体を検知していない場合に前記弁装置を閉にして吐水を停止させる制御が可能であり、かつ、前記引き出しの動きを前記移動検知センサーが検知すると、前記電波センサーが物体を検知しても、前記弁装置を閉にして吐水を禁止する制御を行うことを特徴とする自動水栓。
【請求項２】
前記移動検知センサーは、前記引き出しの背面部から離間した位置に設けられた測距センサーであることを特徴とする請求項１に記載の自動水栓。
【発明の詳細な説明】
【技術分野】
【０００１】
本発明は、自動水栓に関する。
【背景技術】
【０００２】
従来より、電波を放射する電波センサーの受信信号に基づいて、吐水部からの吐水と止水とが制御される自動水栓が知られている（例えば特許文献１）。このような自動水栓では、電波センサーが使用者の手などからの反射波を受信すると、吐水部からの吐水が開始される制御が行われている。
【先行技術文献】
【特許文献】
【０００３】
【特許文献１】特開２０１１−１６２９４０号公報
【発明の概要】
【発明が解決しようとする課題】
【０００４】
しかしながら、特許文献１のような自動水栓は、例えばキャビネットの上部に配設されたシンクが樹脂製の場合には、電波センサーからの電波がシンクを透過してしまうことがある。そして、キャビネットには、シンクの下方に引き出しが配設されている場合があり、収納物の出し入れなどの際に引き出しを動かすと、シンクを透過した電波によって引き出しの動きが誤検知されて、自動水栓から意図しない吐水が発生するという問題がある。
【０００５】
本発明は、以上のとおりの事情に鑑みてなされたものであり、シンクの下方に設けられている引き出しの動作に対する電波センサーの誤検知によって意図しない吐水が起こることが抑制された自動水栓を提供することを課題としている。
【課題を解決するための手段】
【０００６】
本発明の自動水栓は、上記の課題を解決するため、キャビネットの上部に配設されている電波透過性のシンクの下方に、前記キャビネットの前後方向に動く引き出しが配設されている流し台の前記シンク付近に配設される自動水栓であって、
先端に吐水口を備え、前記シンク内に吐水する吐水部と、
前記吐水口と前記シンクとの間の領域の物体を検知可能な電波センサーと、
前記吐水口に至る管路に設けられた弁装置と、
前記引き出しの動きを検知する移動検知センサーと、
前記吐水口からの吐水と止水とを制御する制御手段と
を備え、
前記制御手段は、前記電波センサーが物体を検知している場合に前記弁装置を開にして吐水させ、前記電波センサーが物体を検知していない場合に前記弁装置を閉にして吐水を停止させる制御が可能であり、かつ、前記引き出しの動きを前記移動検知センサーが検知すると、前記電波センサーが物体を検知しても、前記弁装置を閉にして吐水を禁止する制御を行うことを特徴としている。
【発明の効果】
【０００７】
本発明の自動水栓によれば、シンクの下方に設けられている引き出しの動作に対する電波センサーの誤検知によって意図しない吐水が起こることが抑制される。
【図面の簡単な説明】
【０００８】
【図１】本発明の自動水栓の一実施形態を例示した内部透視図である。
【図２】図１に例示した引き出しを引き出した状態を例示した内部透視図である。
【図３】本発明の自動水栓の吐水と止水の制御の形態を例示したブロック図である。
【発明を実施するための形態】
【０００９】
図１は、本発明の自動水栓の一実施形態を例示した内部透視図である。
【００１０】
自動水栓１は、流し台Ｓのシンク２付近に配設されている。この流し台Ｓには、キャビネットＣの上部に配設されているシンク２の下方に引き出し３が配設されている。
【００１１】
シンク２は、例えば樹脂などの電波透過性を有する材料であり、キャビネットＣの上部に設けられている。シンク２は下方に窪む略凹状であり、水平方向に延びる上縁部２１がキャビネットＣの上部に当接している。上縁部２１の内側端部２１aからは下方へ垂下する側壁部３２が形成されており、側壁部２２の下端部２２aからは略水平な底面部２３が形成されている。また、底面部２３には開口部２３aが設けられており、この開口部２３aは下方に延びる排水管Ｒと接続している。自動水栓１からシンク２に供給される水によって、使用者はシンク２内で食器や調理器具、食材などの洗浄等を行うことができる。
【００１２】
引き出し３は、前面部３１、底面部３２および背面部３３を備えている。前面部３１と背面部３３は、底面部３２の前後の両端部から起立し、互いに対向している。また、引き出し３は、前面部３１がキャビネットＣの前面部ｃ１と略面一な状態でキャビネットＣ内に収納されている。引き出し３は、キャビネットＣの前後方向に動かすことができる。具体的には、引き出し３は、手前に引き出すことで外部に露出させることができ、奥に押し込むことで再びキャビネットＣ内に収納することができる。引き出し３には食器や調理器具などの各種の収納物Ｍを収納することができる。
【００１３】
自動水栓１は、吐水部４、電波センサー５、弁装置６、移動検知センサー７および制御手段８を備えている。
【００１４】
吐水部４は、後方側のシンク２の上縁部２１から立ち上がって、シンク２の中央側へ向かって下向きに湾曲して延びる側面視逆Ｕ字形状であり、先端には下方に向かって開口する吐水口４１が設けられている。また、吐水部４の内部には、吐水口４１側に水を供給する吐水管Ｄの一部が挿入されている。
【００１５】
電波センサー５は、吐水部４の吐水口４１側の下部に設けられており、吐水口４１とシンク２の底面部２３との間の領域が検知領域として想定されている。電波センサー５は、シンク２の底面部２３に向かって電波（マイクロ波）を放射し、人の手などの被検知体に当たって反射してきた電波の受信信号（周波数の変化など）によって物体を検知するものであり、従来公知のセンサーを適宜使用することができる。
【００１６】
弁装置６は、キャビネットＣの内部において、吐水口４１に至る管路（給水管Ｅと吐水管Ｄの間）に配設されている。弁装置６は、電磁弁６１を開閉することで給水管Ｅから吐水管Ｄに水を供給するか否か、すなわち、吐水部４からの水の吐水と吐水の停止（止水）が切り替えられるようになっている。弁装置６の配設位置は特に限定されない。また、弁装置６は、給水管Ｅから吐水管Ｄへの供給される水の流量を調整するための吐水流量調整用の電磁弁や、湯水の混合比を調節して、吐水部４から吐出される水の温度を調節するための温度調整用の電磁弁などを含むことができる。
【００１７】
移動検知センサー７は、引き出し３の背面部３３の後方に位置するキャビネットＣの背面部ｃ２に配設されており、引き出し３の動きを検知する。また、移動検知センサー７よって検知される「引き出し３の動き」には、引き出し３の動きに伴う収納物の動きなども含まれる。
【００１８】
移動検知センサー７は、物体の動きを検知可能な公知のセンサーを適宜使用することができ、例えば、測距センサー、画像センサー、フォトインタラプタなどを例示することができる。なかでも、移動検知センサー７は、引き出し３の背面部３３との距離を測定可能な測距センサーであることが好ましい。具体的には、例えば、測距センサー内部の光源（ＬＥＤやレーザダイオード）から照射された光が、測定対象物である引き出し３の背面にあたると反射され、受光素子で受光した光を評価・演算し、距離に換算する形態のものを例示することができる。移動検知センサー７が、引き出し３の背面部３３から離間した位置に設けられた測距センサーであると、引き出し３の前後方向の動きをより確実に検知することができる。
【００１９】
制御手段８は、キャビネットＣ内部において弁装置６に隣接して設けられており、電波センサー５、弁装置６および移動検知センサー７と電気的に接続されている。制御手段８は、電波センサー５の信号に基づいて弁装置６の開閉を制御して、吐水口４１からの吐水と止水とを切り替える制御を行う。
【００２０】
そして、シンク３が電波透過性を有する場合、電波センサー５は、引き出し３の動きを、検知領域に物体が存在すると誤検知してしまう場合がある。具体的には、例えば、電波センサー５は、放射した電波がシンク２の下方に透過して引き出し３や引き出し３内の収納物Ｍから反射すると、その反射波を検知することにより、引き出し３や引き出し３内の収納物Ｍの動きを検知してしまうことがある。
【００２１】
次に、本発明の自動水栓の吐水・止水の制御について図１〜図３とともに説明する。図２は、図１に例示した引き出しを引き出した状態を例示した内部透視図である。図３は、本発明の自動水栓の吐水と止水の制御の形態を例示したブロック図である。
【００２２】
図１に例示した状態では、キャビネットＣに収納された引き出し３は静止しており、移動検知センサー７は、引き出し３が静止状態であることを検知している。この状態では、電波センサー５の検知領域がシンク２の下方の引き出し３付近まで達していても、通常、誤検知による吐水が生じることはない。
【００２３】
そして、図１に例示した状態において、電波センサー５が検知領域の物体（人の手や食器など）を検知した場合は、電波センサー５からの信号を受けた制御手段８は、弁装置６の電磁弁６１を開く。これによって、給水管Ｅから吐水管Ｄに供給された水が吐水部４の吐水口４１から吐水される。また、電波センサー５が検知領域の物体を検知していない場合は信号の出力は停止し、制御手段８は、弁装置６の電磁弁６１を閉じた状態にして吐水部４からの吐水を停止する。
【００２４】
一方、図２に例示したように、収納されていた引き出し３を手前に引き出すと、移動検知センサー７は引き出し３の動きを検知して制御手段８に信号を出力する。この信号を受けた制御手段８は、弁装置６の電磁弁６１を閉状態にして、吐水部４からの吐水を禁止する制御を行う。この場合、制御手段８による制御の形態は、制御手段８からの信号によって弁装置６の閉状態を維持する形態や、電波センサー５からの検知信号をキャンセルすることで、弁装置６を閉状態に維持する形態などを例示することができる。
【００２５】
このように、制御手段８によって吐水が禁止された状態では、引き出し３や引き出し３内の収納物Ｍの動きを、電波センサー５が検知領域に物体が存在すると誤検知したとしても、弁装置６の電磁弁６１の閉状態が維持され、意図しない吐水の発生が抑制される。したがって、自動水栓１は、節水を図ることができ、使い勝手にも優れている。
【００２６】
なお、図２のように、手前に引き出した引き出し３が静止状態の場合は、移動検知センサー７からの検知信号が停止するため、制御手段８によって吐水部４からの吐水を禁止する制御を解除することができる。この場合は、制御手段８は、通常通り、電波センサー５による物体の検知・非検知によって、吐水と止水とを制御することができる。
【００２７】
また、引き出し状態の引き出し３を元の位置に収納する場合（図２の状態から図１の状態に戻す場合）も同様に、移動検知センサー７によって引き出し３の動きが検知される。このため、移動検知センサー７からの信号を受けた制御手段８は、弁装置６の電磁弁６１を閉じた状態にして、吐水部４からの吐水を禁止する制御を行うことができる。この場合も、電波センサー５が引き出し３や引き出し３内の収納物Ｍの動きを誤検知したとしても、弁装置６の電磁弁６１が閉状態に維持されるため、意図しない吐水が発生することが抑制される。
【００２８】
以上の通り、本発明の自動水栓１は、キャビネットＣの上部に配設されている電波透過性のシンク２の下方に、キャビネットＣの前後方向に動く引き出し３が配設されている流し台Ｓのシンク２付近に配設される自動水栓１である。
【００２９】
自動水栓１は、先端に吐水口４１を備え、シンク２内に吐水する吐水部４と、吐水口４１とシンク２との間の領域の物体を検知可能な電波センサー５とを備えている。自動水栓１は、吐水口４１に至る管路に設けられた弁装置６と、引き出し３の動きを検知する移動検知センサー７と、吐水口４１からの吐水と止水とを制御する制御手段８とを備えている。
【００３０】
制御手段８は、電波センサー５が物体を検知している場合に弁装置６を開にして吐水させ、電波センサー５が物体を検知していない場合に弁装置６を閉にして吐水を停止させる制御が可能である。そして、引き出し３の動きを移動検知センサー７が検知すると、電波センサー５が物体を検知しても、弁装置６を閉にして吐水を禁止する制御を行う。
【００３１】
この自動水栓１では、移動検知センサー７は、引き出し３の背面部３３から離間した位置に設けられた測距センサーであることが好ましい。
【００３２】
本発明の自動水栓は、以上の実施形態に限定されることはない。例えば、制御手段は、吐水部の付近や弁装置の付近以外の箇所に設けることもできる。また、電波センサーや移動検知センサーの配設位置なども限定されず、適宜な位置に配設することができる。
【符号の説明】
【００３３】
１    自動水栓
２    シンク
３    引き出し
３３  背面部
４    吐水部
４１  吐水口
５    電波センサー
６    弁装置
７    移動検知センサー
８    制御手段
Ｃ    キャビネット
Ｓ    流し台
【図１】
0006508596.tif 000002
【図２】
0006508596.tif 000003
【図３】
0006508596.tif 000004